(57)【要約】      （修正有）【課題】軽量で折り畳んで嵩張らず、ユーザーが必要に応じて防水性を付与できる携帯用傘袋を提供する。【解決手段】携帯用傘袋１Ａは、布地を用いて作られる、傘袋本体１０Ａと、ポケット２０と、ループ状提げ紐３０とを備えている。傘袋本体１０Ａは、上端を袋入口１４、下端１５を密閉して縫製され、傘５０を容れたときに露先５１付近まで収容できる深さを有し、上端中程に対向嵌合式の第１の係止具４１と第１の被係止具４２とが対設されている。ポケット２０は、布地により傘袋本体１０Ａの一方の側面部１１の上部に縫製され、傘袋本体１０Ａを下端より丸めて折畳み収容することができ、該収容したときに、第２の係止具が第２の被係止具４３の内側に対応して位置し掛け止められる。【選択図】図１
0003142786.tif 000002
【実用新案登録請求の範囲】
【請求項１】
布地により縫製され、上端を袋入口とされかつ下端を密閉され、傘を容れたときに露先付近まで収容できる深さを有する扁平筒状である傘袋本体と、
布地により前記傘袋本体の一側面部の上部に縫製され、ポケット入口が下向きで奥行き端が前記傘袋本体の袋入口の縁に略一致し幅が袋幅に等しく深さが袋幅前後であるポケットと、
両端を前記傘袋本体の上端に連結されたループ状提げ紐とを備え、
前記傘袋本体には、一方の側面部の上部一側と他方の側面部の上部一側とを左右に開けるスリットを有すると共に、該一方の側面部の上端中程と該他方の側面部の上端中程に、傘骨を傘軸の周りに寄せ集めた状態に前記傘を収容したときに露先の周囲を押さえる対向嵌合式の第１の係止具と第１の被係止具とが対設され、
前記ポケットには略中央入口寄りに第２の被係止具が設けられていると共に、前記ポケットに前記傘袋本体を下端より丸めて折畳み収容したときに、前記傘袋本体の前記ポケットとは反対側の側面部に取り付けられた第２の係止具が前記第２の被係止具の内側に対応して位置し該第２の被係止具に掛け止められる、
ことを特徴とする携帯用傘袋。
【請求項２】
請求項１に記載の携帯用傘袋において、前記傘袋本体が防水加工と撥水加工の一方又は両方が施された、
ことを特徴とする携帯用傘袋。
【請求項３】
請求項１に記載の携帯用傘袋において、防水性を有する扁平短袋状であり前記傘袋本体の下端の内面または外面に接着或いは縫製された補強底を備えた、
ことを特徴とする携帯用傘袋。
【考案の詳細な説明】
【技術分野】
【０００１】
本考案は、雨の日に傘とともに携帯し混雑した電車やレストラン等に入る際に雨天で濡れた傘を収容し自分及び他人の衣服、床面等に付着させることがなく、繰り返し使用できる携帯用傘袋に関する。
【背景技術】
【０００２】
人が集まる施設の多くは、雨が降ると一度きり使用で使い捨てるプラスチックフィルム製の傘袋を来場者に提供しており、この傘袋は資源の無駄遣いになっている。中でも、特許文献１に記載された防水傘袋は、ビニール等の防水性のシートにより細長い袋に成形され、畳んだ傘を開口より収容し、突出骨部を袋に開けた穴に通し、この係止状態で袋に雨水が溜まってもその重みで袋が傘からずり落ちるのを防ぐようになっている。
【０００３】
【特許文献１】実用新案登録第３０２０７９３号公報
【考案の開示】
【考案が解決しようとする課題】
【０００４】
しかしながら、特許文献１に記載された防水傘袋によれば、携帯用でなく使い捨て用であり資源の無駄である、複数の突出骨部を袋に開けた複数の穴に通すので傘を取り出しにくい、複数の突出骨部を袋に開けた複数の穴に通すので該穴の縁に負荷がかかり伸びてしまうから、平面的な折畳みがしにくくなる。
【０００５】
他方、雨の日混み合った電車内、混雑した店内での濡れた傘の取り扱いにはとても気をつかうので、そのようなときに使用する傘袋が要望されている。また、雨天時に繰り返し使いたい、傘を収容し易い傘袋、携帯性を備えた傘袋が欲しい等の要望がある。
【０００６】
本考案は、上記事情にかんがみ案出されたもので、その目的とするところは、閉じた傘からの水滴で建物の床面を濡らし、滑り易くし、汚すことを防止でき、あるいは混雑する電車やバス等に持ち込んでも、自分及び他人の衣服を濡らすことを回避でき、傘立てに入れる必要がない、携帯用傘袋を提供することを課題としている。
【課題を解決するための手段】
【０００７】
本考案の携帯用傘袋によれば、布地により縫製され、上端を袋入口とされかつ下端を密閉され、傘を容れたときに露先付近まで収容できる深さを有する扁平筒状である傘袋本体と、布地により前記傘袋本体の一側面部の上部に縫製され、ポケット入口が下向きで奥行き端が前記傘袋本体の袋入口の縁に略一致し幅が袋幅に等しく深さが袋幅前後であるポケットと、両端を前記傘袋本体の上端に連結されたループ状提げ紐とを備え、前記傘袋本体には、一方の側面部の上部一側と他方の側面部の上部一側とを左右に開けるスリットを有すると共に、該一方の側面部の上端中程と該他方の側面部の上端中程に、傘骨を傘軸の周りに寄せ集めた状態に前記傘を収容したときに露先の周囲を押さえる対向嵌合式の第１の係止具と第１の被係止具とが対設され、前記ポケットには略中央入口寄りに第２の被係止具が設けられていると共に、前記ポケットに前記傘袋本体を下端より丸めて折畳み収容したときに、前記傘袋本体の前記ポケットとは反対側の側面部に取り付けられた第２の係止具が前記第２の被係止具の内側に対応して位置し該第２の被係止具に掛け止められる、ことを特徴とする。
【０００８】
上記構成の携帯用傘袋によれば、雨天時に傘を使用し屋内に入った場合、閉じた雨傘から水滴を床面に垂れ流して、床が滑り易くなり、また汚れることを防止することができ、雨天時に傘を使用し混雑する電車やバス等に持ち込んでも、自分及び他人の衣服を濡らさない、傘立てに入れる必要がなく、椅子にぶら下げるなどにより身近に置くことができて、傘の置き忘れを防止できる。一度のみ使用のビニール製の使い捨て傘袋とは異なり、繰り返し使用できるので小さなエコにつながり、提げ紐を傘の握柄に括り付けて傘をさしている時もいない時も携帯でき、洋服のポケットに収納することができ、あるいは鞄に収納しまたは括り付けることができる。
【０００９】
上記構成において、傘袋本体が防水加工と撥水加工の一方又は両方が施されていることが好ましい。また、上記構成において、防水性を有する扁平短袋状であり前記傘袋本体の下端の内面または外面に接着或いは縫製された補強底を備えていることが好ましい。
【考案の効果】
【００１０】
本考案の携帯用傘袋によれば、以下の効果を有する。
（１）傘の雨滴を振り払ってから該傘を傘袋本体に収納すると、傘袋本体の下端からの浸み出しが無いか少ないので、閉じた傘からの水滴で建物の床面を濡らし、滑り易くし、汚すことを防止でき、あるいは混雑する電車やバス等に持ち込んでも、自分及び他人の衣服を濡らすことを回避でき、傘立てに入れる必要がなく、椅子にぶら下げるなどにより身近に置くことができて、傘の置き忘れを防止できる。
（２）傘袋本体の開口に傘の石付き部を入れ易いから、傘袋本体に傘を容れ易い。
（３）第１の係止具と第１の被係止具とを嵌合させることにより、傘骨を傘軸の周りに寄せ集めた状態に傘を収容したときに露先の周囲を押さえることができ、握柄を手に持ち振り回しても傘袋本体が脱出方向にずれることがない。
（４）傘袋本体をきちんと又はクシャクシャに折り畳んでポケットに収納でき、ユーザーの服のポケットにも収容できるコンパクトな大きさになる。
（５）傘袋本体に傘を容れ傘の露先付近に提げ紐を絡ませて第１の係止具と第１の被係止具を嵌合させることができ、これにより、傘に対して傘袋本体を一層確実に係止させることができる。
（６）ポケットに傘袋本体を下端より丸めて折畳み収容したときに、傘袋本体のポケットとは反対側の側面部に取り付けられたボタンがボタン孔の内側に対応して位置し該ボタン孔に掛け止められる構成であるから、ポケットから傘袋本体が不如意に脱出して自転車の車輪に絡む等の事故に繋がることを回避できる。
【考案を実施するための最良の形態】
【００１１】
以下、本考案の実施の形態に係る携帯用傘袋を図面を参照して説明する。
〔第１の実施の形態〕
図１（ａ）に示すように、携帯用傘袋１Ａは、傘袋本体１０Ａとポケット２０とループ状提げ紐３０等を備えてなる。傘袋本体１０Ａとポケット２０とループ状提げ紐３０は、例えば布地を縫製されてなり、防水加工と撥水加工の一方又は両方が施されていることが好ましい。布地は、合成繊維製であると、防水加工又は撥水加工がし易く、コストが低廉となるので好ましい。
【００１２】
傘袋本体１０Ａは、略長矩形の扁平筒状に縫製されている。この実施の形態では、傘袋本体１０Ａは、一方の側面部１１と他方の側面部１２とに分割された布地で縫製されている。符号１３は縫い目を示している。傘袋本体１０Ａは、上端を袋入口１４とされ、下端１５を密閉して縫製され、図１（ｂ）に示すように、傘５０を容れたときに露先５１付近まで収容できる深さＬ１を有する。
【００１３】
傘袋本体１０Ａには、一方の側面部１１の上部一側と他方の側面部１２の上部一側とを左右に開けるスリット１３を有すると共に、該一方の側面部１１の上端中程と該他方の側面部１２の上端中程に、傘骨を傘軸の周りに寄せ集めた状態に傘５０を収容したときに、図１（ｃ）に示すように、露先５１の周囲を押さえる対向嵌合式の第１の係止具（ここではスナップボタン（オス））４１と、第１の被係止具（ここではスナップボタン（メス））４２とが対設されている。なお、第１の係止具４１と第１の被係止具４２は、面ファスナを用いる場合も含まれる。
【００１４】
図１（ａ）に示すように、ポケット２０は、布地によりポケット入口２１が下向きにして三方が傘袋本体１０Ａの一方の側面部１１の上部に縫製され、両側縁が傘袋本体１０Ａの両側縁に一致し、奥行き端２２が傘袋本体１０Ａの袋入口縁に略一致している。従って、ポケット２０は、入口幅が袋幅Ｗに等しい。また、ポケット２０は、深さＬ２が袋幅Ｗと略同じ位の大きさに設けられている。
【００１５】
ポケット２０には、略中央入口寄りに第２の被係止具（ここではボタン孔）４３が設けられていると共に、図２（ａ）に示すように傘袋本体１０Ａを下端より丸めて折畳み、図２（ｂ）に示すようにポケット２０に収容することができ、該収容したときに、傘袋本体１０Ａの他の側面部（ポケット２０とは反対側の側面部）１２に取り付けられた第２の係止具（ここではボタン）４４が第２の被係止具４３の内側に対応して位置し該第２の被係止具４３に掛け止められるように構成されている。なお、第２の係止具４４と第２の被係止具４３は、面ファスナを用いる場合も含まれる。
【００１６】
図１（ａ）に示すように、ループ状提げ紐３０は、この実施形態では、布地で細い筒紐状に縫製されてから二つ折りとされその両端を傘袋本体１０Ａの他方の側面部１２の上端に縫い付けられ、傘袋本体１０Ａより上方へ延びて上端でＵ字に折り返している。このループ状提げ紐３０は、ループを直線に伸ばした時の長さが、傘５０の握柄５２に対して２巻き半〜３巻きできる長さとされている。
【００１７】
〔上記構成の携帯用傘袋の作用効果〕
傘袋本体１０Ａが防水加工又は撥水加工されているので、傘５０の雨滴を振り払ってから該傘５０を傘袋本体１０Ａに収納すると、傘袋本体１０Ａの下端からの浸み出しが無いか浸み出しがあっても少ないので、閉じた傘５０からの水滴で建物の床面を濡らし、滑り易くし、汚すことを防止でき、あるいは混雑する電車やバス等に持ち込んでも、自分及び他人の衣服を濡らすことを回避でき、傘立てに入れる必要がなく、椅子にぶら下げるなどにより身近に置くことができて、傘の置き忘れを防止できる。
【００１８】
傘袋本体１０Ａの開口には、一方の側面部１１の上部一側と他方の側面部１２の上部一側とを左右に開けるスリット１６を有するので、傘袋本体１０Ａの開口１４に傘５０の石付き部５３を入れ易いから、傘袋本体１０Ａに傘５０を容れ易い。
【００１９】
傘袋本体１０Ａは傘５０を容れ露先５１付近まで収容できる深さであり、傘袋本体１０Ａの一方の側面部１１の上端中程と他方の側面部１２の上端中程に対向嵌合式の第１の係止具４１と第１の被係止具４２とが対設されているから、第１の係止具４１と第１の被係止具４２とを嵌合させることにより、傘骨を傘軸の周りに寄せ集めた状態に傘５０を収容したときに露先５１の周囲を押さえることができ、握柄５２を手に持ち振り回しても傘袋本体１０Ａが傘５０に対して脱出方向にずれることがない。
【００２０】
ポケット２０が、布地により傘袋本体１０Ａの一側面部１１の上部に縫製され、ポケット入口２１が下向き、奥行き端２２が傘袋本体１０Ａの入口の縁に略一致し幅が袋幅Ｗに等しく深さが袋幅前後である構成なので、図２（ｂ）に示すように、傘袋本体１０Ａをきちんと又はクシャクシャに折り畳んでポケット２０に収納でき、ユーザーの服のポケットにも収容できるコンパクトな大きさになる。
【００２１】
両端を傘袋本体１０Ａの上端に連結されたループ状提げ紐３０を備えているので、提げ紐３０を輪にして該輪の内側で対向嵌合式の第１の係止具４１と第１の被係止具４２を嵌合させることにより、提げ紐３０を二重ループ状の短い状態にすることができるから、傘袋本体１０Ａに傘５０を容れ露先５１付近に提げ紐３０を絡ませて第１の係止具４１と第１の被係止具４２を嵌合させることができ、これにより、傘５０に対して傘袋本体１０Ａをずれ落ちないように一層確実に係止させることができる。
【００２２】
ポケット２０に傘袋本体１０Ａを下端より丸めて折畳み収容したときに、傘袋本体１０Ａのポケット２０とは反対側の側面部１２に取り付けられた第２の係止具４４が第２の被係止具４３の内側に対応して位置し該第２の被係止具４３に掛け止められる構成であるから、ポケット２０から傘袋本体１０Ａが不意に脱出して自転車の車輪に絡む等の事故に繋がることを回避できる。なお、ループ状提げ紐３０は、傘５０の握柄５２に絡めて携帯でき、また服のポケットや鞄に入れて形態できる。
【００２３】
〔第２の実施の形態〕
この実施形態の携帯用傘袋１Ｂを図３（ａ）に示す。携帯用傘袋１Ｂが、傘袋本体１０Ｂと、ポケット２０と、ループ状提げ紐３０とを備えている構成、また、第１の係止具４１と第１の被係止具４２とを備えている構成、さらに第２の被係止具４３と第２の係止具４４とを備えている構成は、図１（ａ）に示す携帯用傘袋１Ａと略同一であるので、対応する構成要素に同一符号を付し、説明は省略する。
携帯用傘袋１Ｂは、図１（ａ）に示す携帯用傘袋１Ａとは異なり、ポケット２０より下側で下端に行くに連れて細幅になっており（テーパ状）、可撓性・防水性を有する扁平短袋状であり傘袋本体１０Ｂの下端の外面に密着して接着或いは縫製された補強底４５を備えており、携帯用傘袋１Ｂのこの点が、図１（ａ）に示す携帯用傘袋１Ａと相違している。補強底４５は、例えば、ビニール樹脂、ポリエチレン樹脂、ラバー等より成形できる。補強底４５を備えていると、傘５０の雨滴を振り払ってから該傘５０を傘袋本体１０Ｂに収納すると、傘５０から傘袋本体１０Ｂ内の下部へ流下する少量の雨滴を補強底４５内に貯留でき、また、傘５０の石付き部５３を衝くことで傘袋本体１０Ｂの底部に穴が開くのを防止できる。補強底４５を扁平にした時の幅は、ポケット２０の幅よりも小さいので、補強底４５を巻き芯にして傘袋本体１０Ｂを丸めてポケット２０内に収容することが容易にできる。
【００２４】
本考案は、上記の実施の形態に限定されるものではなく、要旨を逸脱しない限度で種々の設計変更や工程の変更が可能であり、そのような変更を技術的範囲に含むものである。
上記の第１、第２の実施の形態では、傘袋本体１０Ａ、１０Ｂについて、布地に防水加工と撥水加工の一方又は両方が施されている構成としたが、請求項１の考案に係る傘袋本体は、布地により縫製されていれば足りる。すなわち、傘袋本体が布地により縫製されていれば、ユーザーが防水剤又は撥水剤をスプレーして傘袋本体に防水性又は撥水性を付与することができる。
上記の第２の実施の形態では、補強底４５を傘袋本体１０Ｂの下端の外面に接着或いは縫製されている構成を示したが、補強底４５を傘袋本体１０Ｂの下端の内面に接着或いは縫製されている構成としても良い。
【図面の簡単な説明】
【００２５】
【図１】本考案の第１の実施の形態に係り、（ａ）は携帯用傘袋の正面図に近い斜視図、（ｂ）は携帯用傘袋へ傘の収納を完了し袋入口を閉める前の状態を示す斜視図、（ｃ）は携帯用傘袋へ傘を収納して袋入口を閉め終えた状態を示す斜視図である。
【図２】（ａ）は図１（ａ）の携帯用傘袋を丸めて折り畳んでポケットに仕舞う直前の状態を示す斜視図、（ｂ）はポケットに仕舞い終えた状態を示す斜視図である。
【図３】本考案の他の実施の形態に係り、（ａ）は携帯用傘袋の正面図に近い斜視図、（ｂ）は携帯用傘袋へ傘の収納を完了し袋入口を閉める前の状態を示す斜視図である。
【符号の説明】
【００２６】
１Ａ、１Ｂ  携帯用傘袋
１０Ａ、１０Ｂ  傘袋本体
１１  一方の側面部
１２  他方の側面部
１４  袋入口
１５  下端
１６  スリット
２０  ポケット
２１  ポケット入口
２２  奥行き端
３０  ループ状提げ紐
４１  第１の係止具（スナップボタン（オス））
４２  第１の被係止具（スナップボタン（メス））
４３  第２の被係止具（ボタン孔）
４４  第２の係止具（ボタン）
４５  補強底
５０  傘
５１  露先
【図１】
0003142786.tif 000003
【図２】
0003142786.tif 000004
【図３】
0003142786.tif 000005